(57)【要約】【課題】大当たりしたときにチューリップを遊技盤内に収納してパチンコ球の大入賞口への流れを妨げないようにすること。【解決手段】所定図柄を表示する可変表示装置４ａと、図柄が所定表示になって大当たりを引き当てると開く大入賞口４ｇと、可変表示装置及び大入賞口の間に設けられ、かつチューリップ３００を備える始動口４ｂとを遊技盤４上に有するパチンコ遊技機１において、遊技盤のうち始動口が配置されている箇所は、少なくともチューリップが遊技盤内に収納可能となるように開口され、開口４４に対してチューリップを前後方向に移動するプランジャ４００を有し、プランジャ４００により、大当たりの間は、チューリップが遊技盤の裏側に引き込まれて収納され、大当たり終了後は、再び遊技盤上の元の位置に戻るようにプランジャ４００の作動制御を行う制御手段３２を有すること。【選択図】図７
2008104635.tif 000002
【特許請求の範囲】
【請求項１】
所定の数字や絵柄等で構成される図柄を表示する可変表示装置と、
前記表示が所定表示になった場合を遊技者に有利なゲーム展開になる大当たりになった場合として開口する大入賞口と、
これら可変表示装置及び大入賞口の間に設けられ、かつ可動電動役物を備える入賞口と、を遊技盤上に有するパチンコ遊技機において、
前記遊技盤のうち前記可動電動役物が配置されている箇所は、少なくとも当該可動電動役物が遊技盤内に収納可能となるように形成された開口と、
前記遊技盤の裏側に取り付けられ、前記開口に対して前記可動電動役物を前後方向に移動する駆動手段と、
大当たりの間、前記可動電動役物を後退させて前記遊技盤の裏側に収納するようにし、大当たり終了後は、前記可動電動役物を前進させて再び遊技盤上の元の位置に戻すように前記駆動手段の作動を制御する制御手段とを有することを特徴とするパチンコ遊技機。
【請求項２】
前記可動電動役物が開口内に収納されると、大当たりの間、前記開口を閉じる開閉手段を有することを特徴とする請求項１に記載のパチンコ遊技機。
【請求項３】
前記可動電動役物は、大当たりを引き当てたことを遊技者に事前に報知する予告動作を行い、当該予告動作は、前記大入賞口が開く前、所定時間内に、前記駆動手段により前記可動電動役物を前後方向に繰り返し移動する動作であることを特徴とする請求項１又は２に記載のパチンコ遊技機。
【発明の詳細な説明】
【技術分野】
【０００１】
本発明はパチンコ遊技機に関する。
【背景技術】
【０００２】
パチンコ遊技機は、液晶表示ユニット等で構成される可変表示装置を遊技盤中央に備え、始動口への入賞を契機にこの可変表示装置の有効ライン上に、例えば「１」〜「１０」等の数字や絵柄等で構成される図柄を種々の演出を踏まえて表示することで、現在の遊技状態を遊技者に告知し、また所定の図柄が揃うことで大当たりとなり、遊技者にとって有利なゲームが展開される。
【０００３】
また、遊技盤のうち前記可変表示装置の周囲には、風車及び遊技くぎその他の障害物が設けられ、遊技盤に打ち出されたパチンコ球は、これら障害物との接触によって、その進路が不規則に変化されながら落下して行く。
【０００４】
そして遊技盤には、前記障害物以外に保留球ランプ，盤面ランプその他の電飾，始動入賞口，通常入賞口，大当たりをしたときに開く大入賞口（アタッカー），スルーチャッカ等が適宜配置されている。そして、入賞口や大入賞口に入賞すれば、遊技者に賞球が払い出されるとともに、可変表示装置では各種演出が実行される。また、通常入賞口に入賞すれば、各種電飾が効果音とともに点灯・点滅しながら規定数の賞球が払い出される。
【特許文献１】実開平５−６３５８３号公報
【特許文献２】特開２００５−３４８９６６号公報
【発明の開示】
【発明が解決しようとする課題】
【０００５】
ところで、近年の可変表示装置で表出される演出は、極めて精細、緻密であり、ストーリー性に富んでいるので、演出を見ることを目的の一つとして遊技する遊技者も少なくない。このため、可変表示装置は大型化され、遊技者にとっての利便性を高めている。
【０００６】
ところが、可変表示装置が大型化しても、遊技盤その物の大きさは変わらないため、可変表示装置の大型化に伴い、遊技盤のうち可変表示装置の周囲に配置されている電飾，各種入賞口並びに前記障害物その他の遊技盤上における設置部品の配列や数が制限され、遊技盤上における設置部品が高密度化する傾向にある。このため、パチンコ球がつまる可能性が高い。
【０００７】
また、このように高密度化した遊技盤を有するパチンコ遊技機において、可変表示装置と大入賞口との間にチューリップと称される可動電動役物を備えた入賞口を有するパチンコ遊技機にあっては、前記高密度化に加えチューリップが妨げとなり、大当たりをしても大入賞口に球が入りにくいという問題がある。
【０００８】
大入賞口には、大当たり継続のための特別の入賞口（いわゆるＶゾーン）があり、この大当たり継続入賞口に例えば所定時間内にパチンコ球が入らないと、大当たりをみすみす逃す、いわゆるパンクを招来することになる。
【０００９】
本発明はこのような実状に鑑みて発明されたものであって、その解決しようとする課題は、遊技盤のうち可変表示装置と大入賞口との間にある入賞口に可動電動役物が取り付けられているパチンコ遊技機において、大当たりをしたときには、少なくとも可動電動役物が遊技盤から突出しないようにすることで、パチンコ球の大入賞口への流れを妨げないよ
うにしたパチンコ遊技機を提供することにある。
【課題を解決するための手段】
【００１０】
そこで本発明は、上記課題を解決するために以下の手段を採用した。
すなわち、本発明は、所定の数字や絵柄等で構成される図柄を表示する可変表示装置と、前記表示が所定表示になった場合を遊技者に有利なゲーム展開になる大当たりになった場合として開口する大入賞口と、これら可変表示装置及び大入賞口の間に設けられ、かつ可動電動役物を備える入賞口と、を遊技盤上に有するパチンコ遊技機において、前記遊技盤のうち前記可動電動役物が配置されている箇所は、少なくとも当該可動電動役物が遊技盤内に収納可能となるように形成された開口と、前記遊技盤の裏側に取り付けられ、前記開口に対して前記可動電動役物を前後方向に移動する駆動手段と、大当たりの間、前記可動電動役物を後退させて前記遊技盤の裏側に収納するようにし、大当たり終了後は、前記可動電動役物を前進させて再び遊技盤上の元の位置に戻すように前記駆動手段の作動を制御する制御手段とを有することを特徴とする。
【００１１】
ここで、可動電動役物としては、例えばチューリップと称され、入賞口の開口に対して開閉動する弁を有する仕掛け物を挙げられるが、これに限らず、入賞口の開口に対して開閉動する動作部を有するものであればよい。また入賞口とは孔そのものと当該入賞口を形成する形成部を含む概念である。可動電動役物と形成部とは一体化されており、駆動手段によって可動電動役物が移動されると、形成部すなわち入賞口も同様に移動されるようになる。
【００１２】
本発明のパチンコ遊技機によれば、大当たりになると、前記駆動手段により前記可動電動役物が前記遊技盤の裏側に引き込まれるため、可変表示装置と大入賞口との間には、パチンコ球が大入賞口に流れるにあたって障害となる物が存在しなくなる。
【００１３】
前記可動電動役物が開口内に収納されると、大当たりの間、当該開口を閉じる開閉手段を有するようにしてもよい。
【００１４】
可動電動役物が開口内に収納されると、大当たりの間、当該開口を閉じる開閉手段によって、パチンコ球が遊技盤の裏面側に流れることが防止される。よって、無駄球を防止することができる。
【００１５】
前記可動電動役物は、大当たりを引き当てたことを遊技者に事前に報知する予告動作を行い、当該予告動作は、前記大入賞口が開く前、所定時間内に、前記駆動手段により前記可動電動役物を前後方向に繰り返し移動する動作であることを特徴とする。
【００１６】
予告は、前記可動電動役物が前後方向に繰り返し移動する動作であり、機械仕掛けの動作といえるので、遊技に不慣れな遊技者であっても、この動作が何かの予兆ではないかと気付き易い。このため、大当たりの期待感が膨らむ。したがって、遊技性が向上する。
【発明の効果】
【００１７】
本発明によれば、大当たりをすると、パチンコ球が大入賞口に流れるにあたり障害となっていた可動電動役物が、可変表示装置と大入賞口との間に存在しなくなるため、それだけパチンコ球が大入賞口に入りやすくなる。したがって、パンクを有効に防止できる。
【発明を実施するための最良の形態】
【００１８】
以下、図面を参照して本発明に係る遊技機の好適な実施形態を説明する。
図１に示すように、パチンコ遊技機１は、外枠２と、外枠２に回動自在に設けられている本体枠３と、本体枠３に着脱可能に固定されパチンコ球が打ち出される遊技領域を有す
る遊技盤４と、本体枠３に回動自在に設けられ遊技盤４の前面を覆うガラス扉５と、本体枠３に回動自在に設けられガラス扉５の下方に位置する下扉６と、パチンコ遊技機内部に配置されパチンコ球を一発ずつ遊技盤４に向けて発射する発射装置２６１と、ガラス扉５よりも上方に配置され、必要に応じて点滅する報知用ランプ７と、報知用ランプ７の左右にそれぞれ配置されている一対のスピーカ８と、下扉６に配置され貸球及び賞球を貯留する受皿２８０と、下扉６に配置され前記発射装置２６１を作動させる操作ハンドル１０，発射装置２６１で打ち出す貸球及び賞球を受皿２８０に払い出す、パチンコ遊技機内部に設けられている球払出装置２９０等を備えている。
【００１９】
遊技盤４には、図２に示すような各種装置が取り付けられている。
すなわち、盤中央に配置され、盤面のほぼ四分の一の大きさを有する可変表示装置４ａ，可変表示装置４ａの真下に近接して位置する始動口４ｂ，始動口４ｂのさらに下に位置する大入賞口４ｇ，可変表示装置４ａの上部に位置する４つの保留球ランプ４ｃ，遊技盤４の周縁に配置されている盤面ランプ４ｄ，上記装置の間で適宜配置されている通常入賞口４ｆ・風車４ｈ・スルーチャッカ４ｉ等を備えている。
【００２０】
可変表示装置４ａは、始動口４ｂへの入賞（以下、始動口入賞）があった場合に作動するものであり、３つの区画領域４ａ１，４ａ２，４ａ３を有する。そして、これら区画領域４ａ１，４ａ２，４ａ３に各種図柄が表示されることで、パチンコ遊技機１に特有の演出が実行される。演出内容により現在の遊技状態を遊技者に示唆する。
【００２１】
例えば図柄に１から１０の数字が含まれていたとして、区画領域４ａ１，４ａ２，４ａ３に同じ数が２つ揃った場合には、リーチとなり大当たり引き当ての期待を高める演出が実行され、３つ揃えば大当たりとなって多量のパチンコ球の獲得が約束された演出が実行されるという具合である。
【００２２】
前記始動口４ｂ，通常入賞口４ｆ，大入賞口４ｇには、賞球検知センサが設けられ、これらの入賞口をパチンコ球が通過すると、各入賞口ごとの賞球検知センサが作動し、次に述べる制御装置２０（図３参照）に入賞信号を送る。
【００２３】
制御装置２０は、図３に示すように、大当たり判定その他遊技に係る主要な制御を行う主制御装置３０と、主制御装置３０から出力されたコマンドに基づいて作動する副制御装置３２とを有する。
【００２４】
主制御装置３０及び副制御装置３２には、電源装置２９から電流が供給される。主制御装置３０並びに副制御装置３２には、それぞれ図示しないＣＰＵ（Ｃｅｎｔｒａｌ Ｐｒ
ｏｃｅｓｓｉｎｇ Ｕｎｉｔ），ＲＯＭ（Ｒｅａｄ Ｏｎｌｙ Ｍｅｍｏｒｙ）及びＲＡＭ
（Ｒａｎｄｏｍ Ａｃｃｅｓｓ Ｍｅｍｏｒｙ）が備えられている。
【００２５】
そして、遊技状態が、大当たりその他遊技者に有利な特別遊技状態にあるのか、又は通常の遊技状態にあるのか等の判断は、主制御装置３０のＣＰＵが、主制御装置３０に入力されるＶゾーンの大当たり検知センサその他各種検知センサからの入力信号等に基づいて、主制御装置３０のＲＯＭに記憶されている遊技全体の制御を実行する遊技制御プログラムによって実行される。
【００２６】
なお、本実施形態に係る前記プログラムは、実行ファイル形式でインストールされており、本実施形態の機能及び処理手順は、当該プログラムがバス及びメモリを介してＣＰＵに読み込まれることにより実現される。またこれらのプログラムは、コンピュータに読み取り可能な記録媒体（例えば、ＭＯ（Ｍａｇｎｅｔ Ｏｐｔｉｃａｌ），ＣＤ（Ｃｏｍｐ
ａｃｔ Ｄｉｓｋ），ＦＤ（Ｆｌｏｐｐｙ（登録商標） Ｄｉｓｋ）等）に記録することも
できる。
【００２７】
前記賞球検知センサその他のセンサの出力信号は、主制御装置３０に送られ、当該出力信号に基づいて主制御装置３０から副制御装置３２に各種コマンド信号が送られる。当該送信により、副制御装置３２が作動し、電飾，音声，入賞の各装置の制御を行う。具体的には、可変表示装置４ａ，保留球ランプ４ｃ，盤面ランプ４ｄ，報知用ランプ７，スピーカ８，発射装置２６１，球払出装置２９０，始動口４ｂに装着されているチューリップ３００等が制御される。なお、これら各装置をまとめて作動部と呼称し、符号３４で示す。作動部３４にも電源装置２９から電流が供給される。
【００２８】
次に始動口４ｂについて述べる。始動口４ｂは、遊技盤４に直接設けた孔に限られず、始動口と判別できればその形態は問わない。この実施形態では、始動口４ｂを含む始動口ユニット５０を遊技盤４に取り付け得ることで、遊技盤４に始動口４ｂが形成される。
【００２９】
図４〜図７を参照して始動口ユニット５０について述べる。
始動口ユニット５０は、遊技盤４に開口した取付孔４４に対するように遊技盤４の裏側に取り付けられている（図６，７参照）。
始動口ユニット５０は、始動口４ｂが上方に開口する内部球通路５４ｂを有する始動口形成部５３と（図６，７参照）、始動口形成部５３に装着され、内部球通路５４ｂの上部に位置するチューリップ３００と（図４〜７参照）、始動口ユニット５０を取付孔４４に対して前後方向（図６の白抜き両矢印参照）に移動する駆動手段４００と（図６，７参照）、始動口ユニット５０の位置を検出する位置検出手段としての位置検知センサ５００とを有する（図６，７参照）。内部球通路５４ｂの上部にチューリップ３００を取り付けた位置が始動口４ｂの位置である。
【００３０】
始動口形成部５３は、飾り部材としても機能するプラスチック成型品であり、その内部には、垂直断面で見てＬ字形に前記内部球通路５４ｂが形成されている。そして内部球通路５４ｂの屈曲点の近傍上部には、始動口４ｂに入ったパチンコ球を検知する賞球検知センサ５３１が取り付けられ、内部球通路５４ｂのうち始動口４ｂの反対側にはパチンコ球の島における循環路である図示しない樋に向けて排出される排出口となっている。
【００３１】
チューリップ３００は、始動口４ｂに取り付けられ始動口４ｂを拡開する弁である花弁形状部３０２と、花弁形状部３０２の後方に位置する花弁開閉機構３０３とからなる（図４，５参照）。
【００３２】
花弁開閉機構３０３により花弁形状部３０２を開くことにより、始動口４ｂの間口を拡開し、図４及び図５からわかるように、間口がＷからＷ１になる。花弁形状部３０２は、始動口４ｂは勿論、通常入賞口４ｆやスルーチャッカ４ｉに入賞することでも開く。
【００３３】
当該拡開にあたり花弁形状部３０２は、図４のチューリップ３００が閉じている直立状態を起点に、そこから図５のように左右の花弁形状部３０２が基点部３０２Ｂを中心に弧を描くように開く。その開閉機構は、ハウジング３０４に収納されたソレノイド機構３０５を利用した周知の開閉機構であり、例えば特開２００４−３１３３４９号公報等に開示されたものを例示できる。
【００３４】
駆動手段４００としては、遊技盤４の裏側に適宜の取付手段によって取り付けられた電磁プランジャソレノイド（以下プランジャ４００）を例示できる。プランジャ４００はハウジング３０４の後方に設置され、往復動するロッド部４００ａと、ロッド部４００ａを並進運動させるために動力を与える動力部４００ｂとからなる。
【００３５】
プランジャ４００は、パチンコ遊技機１が大当たりの状態にある間、ロッド部４００ａを後方に並進運動することにより、チューリップ３００を遊技盤４の裏側に引き込んで収納し（図７参照）、大当たり終了後は、ロッド部４００ａを前方に並進運動することにより、チューリップ３００を再び遊技盤上の元の位置に戻す。プランジャ４００の作動制御は、遊技内容に応じて副制御装置３２が行う。よって副制御装置３２のことを駆動手段であるプランジャ４００の作動を制御する制御手段ということにする。
【００３６】
図６のようにチューリップ３００が遊技盤４から突出した状態にあるとき、これを初期位置とし、図７のようにチューリップ３００が遊技盤４の裏側に収納された状態にあるとき、これを収納位置とする。
【００３７】
チューリップ３００が初期位置にあることは、遊技盤４の裏面かつ取付孔４４の上部に位置する位置検知センサ５００Ａとハウジング３０４の上部に取り付けられた位置検知センサ５００Ｂとが対面することで検出し、チューリップ３００が収納位置にあることは、遊技盤４の裏面かつ取付孔４４の下部に位置する位置検知センサ５００Ｃと始動口形成部５３の下部に取り付けられた位置検知センサ５００Ｄとが対向することで検出する。
【００３８】
これら位置検知センサ５００Ａ〜５００Ｄの総称として符号５００で示す。位置検知センサ５００としては、例えばフォトセンサが用いられる。フォトセンサは、周知のごとく発光素子と受光素子とからなる。位置検知センサ５００Ａ及び５００Ｃには発光素子が備えられ、位置検知センサ５００Ｂ及び５００Ｄには受光素子が備えられている。そして、これら受・発光素子が対向すると、発光素子から受光素子への入光により、フォトセンサの出力電流が大きくなるため、当該出力電流が大きくなった時点をもって、位置検出に応用できる。
【００３９】
この電流の変化がどの検知センサによるものであるかによって、始動口ユニット５０が初期位置にあるか収納位置にあるかの判断を副制御装置３２が行う。そして、いずれの位置に始動口ユニット５０が置かれてもプランジャ４００の作動が停止するようになっている。
【００４０】
そして、始動口ユニット５０が図６で示す初期位置にある状態において、始動口４ｂにパチンコ球が入り、内部球通路５４ｂの賞球検知センサ５３１によってパチンコ球が検知され、これを契機にいわゆる内部抽選が実施され、その結果、大当たりを引き当てたとすると、大入賞口４ｇが開き、それに併せてプランジャ４００により始動口ユニット５０が収納位置に移動される（図７参照）。
【００４１】
図８は、プランジャ４００を作動するための機能ブロック図である。
この機能ブロック図では、始動口４ｂの賞球検知センサ５３１がパチンコ球を検知して出力する検知信号が制御装置２０に送られると、内部抽選が実行され、その結果大当たりとなると、制御装置２０の副制御装置３２からプランジャ４００を駆動するコマンド信号が出力され、当該コマンド信号によりプランジャ４００の動力部４００ｂが作動し、当該作動により、ロッド部４００ａを後退させ、その結果始動口ユニット５０の位置検知センサ５００Ｃと遊技盤４に設けられている位置検知センサ５００Ｄとが対向する位置、すなわち収納位置で停止し、大当たり終了後はロッド部４００ａを前進させ、ロッド部４００ａが、遊技盤４の位置検知センサ５００Ａと始動口ユニット５０の位置検知センサ５００Ｂとが対向する位置、すなわち初期位置で停止することを示唆する。
【００４２】
次に図９のフローチャートを参照しながら、プランジャ４００によるチューリップ３００の作動制御の流れを順を追って説明する。
Ｓ１では大当たりしたか否かを判定する。肯定判定すればＳ２に進み否定判定する間は
Ｓ１の判定を繰り返す。
【００４３】
Ｓ２ではプランジャ４００を駆動し、始動口ユニット５０を収納位置に向けて引き込む。
Ｓ３では位置検知センサ５００Ｃ及び５００Ｄが対向する位置をもって始動口ユニット５０が収納位置にあると判断され、そこで停止する。
【００４４】
Ｓ４では大当たりが終了したか否かの判定を行い、肯定判定した場合はＳ５に進み、否定判定した場合はこの判定を繰り返す。
Ｓ５ではプランジャ４００を駆動し、始動口ユニット５０を初期位置に向けて送り出す。
Ｓ６では位置検知センサ５００Ａ及び５００Ｂが対向する位置をもって始動口ユニット５０が初期位置にあると判断され、そこで停止する。
【００４５】
このようにパチンコ遊技機１にあっては、大当たりになると、プランジャ４００によりチューリップ３００が遊技盤４の裏側に引き込まれるため、可変表示装置４ａと大入賞口４ｇとの間には、パチンコ球が大入賞口４ｇに流れるにあたって障害となる物が存在しなくなる。このため、それだけパチンコ球が大入賞口４ｇに入りやすくなる。したがって、パンクを有効に防止でき、もって、遊技者にとって楽しい遊技の展開とすることができる。
【００４６】
尚、本発明は、上述の図示例にのみ限定されるものではなく、本発明の要旨を逸脱しない範囲内において種々変更を加え得ることは勿論である。
例えば、内部抽選により大当たりを引き当てると、その旨を遊技者に事前に報知する予告動作を始動口ユニット５０によって行うことが考えられる。例えば大入賞口４ｇが開く前の所定時間、始動口ユニット５０を初期位置と収納位置との間で繰り返し移動させれば、遊技者には、チューリップ３００が前後方向に繰り返し移動するように見える。
【００４７】
チューリップ３００が前後方向に繰り返し移動される動作は機械仕掛けの動作といえるので、遊技に不慣れな遊技者であっても、この動作が何かの予兆ではないかと気付き易い。このため、遊技者にとっては、大当たりの期待感が膨らむため、遊技性が向上する。
【００４８】
また、大当たりの結果、始動口ユニット５０が取付孔４４に収納された場合において、大当たりの間、取付孔４４を閉じる開閉手段を有するようにしてもよい。開閉手段としては、一般に、簾（スダレ）状で巻込み可能な金属製の鎧戸（ヨロイド）であるシャッター、左右の扉が中央から両側に開くように造られた観音開きの開き戸、左右に開閉する引き戸などがある。なおそれらの開閉装置としては種々考えられるが、周知の駆動装置を適用すればよい。
【００４９】
チューリップ３００が取付孔４４に収納されると、大当たりの間、取付孔４４が開閉手段によって閉じられ、パチンコ球が取付孔４４を経由して遊技盤４の裏面側に流れることが防止される。よって、無駄球を防止することができる。
【図面の簡単な説明】
【００５０】
【図１】本発明に係るパチンコ遊技機の外観を示す斜視図である。
【図２】図１のパチンコ遊技機の遊技盤の正面図である。
【図３】入賞装置の作動を制御する電子制御系の概念を示すブロック図である。
【図４】始動口が閉じている状態にあるときの拡大正面図である。
【図５】始動口が開いている状態にあるときの拡大正面図である。
【図６】図４の側断面図であって、大当たりする前の状態である。
【図７】大当たりした状態の図４の側断面図である。
【図８】駆動手段を作動するための機能ブロック図である。
【図９】駆動手段を作動するためのフローチャートである。
【符号の説明】
【００５１】
１ パチンコ遊技機
２ 外枠
３ 本体枠
４ 遊技盤
４ａ 可変表示装置
４ａ１，４ａ２，４ａ３ 区画領域
４ｂ 始動口（可変表示装置及び大入賞口の間に設けられ可動電動役物を備える入賞口
）
４ｃ 保留球ランプ
４ｄ 盤面ランプ
４ｆ 通常入賞口
４ｇ 大入賞口
４ｈ 風車
４ｉ スルーチャッカ
５ ラス扉
６ 下扉
７ 報知用ランプ
８ スピーカ
１０ 操作ハンドル
２０ 制御装置
２９ 電源装置
３０ 主制御装置
３２ 副制御装置（制御手段）
３４ 作動部
４４ 取付孔（開口）
５０ 始動口ユニット
５３ 始動口形成部
５４ｂ 内部球通路
２６１ 発射装置
２８０ 受皿
２９０ 球払出装置
３００ チューリップ
３０２ 花弁形状部
３０２Ｂ 基点部
３０３ 花弁開閉機構
３０４ ハウジング
３０５ ソレノイド機構
４００ プランジャ（駆動手段）
４００ａ ロッド部
４００ｂ 動力部
５００ 位置検知センサの総称
５００Ａ〜５００Ｄ 位置検知センサ
５３１ 賞球検知センサ
Ｗ１ 間口
【図１】
2008104635.tif 000003
【図２】
2008104635.tif 000004
【図３】
2008104635.tif 000005
【図４】
2008104635.tif 000006
【図５】
2008104635.tif 000007
【図６】
2008104635.tif 000008
【図７】
2008104635.tif 000009
【図８】
2008104635.tif 000010
【図９】
2008104635.tif 000011